(57)【要約】【課題】不要なアラームの出力を抑制することを目的としている。【解決手段】入院している患者が前記患者に割り当てられた第一の領域から逸脱してから所定時間が経過した場合、電子カルテシステムから、前記患者の治療に応じて設定されたスケジュールを示す情報を取得し、前記スケジュールを示す情報に基づき予測される前記患者の居場所に関する第二の領域を特定し、前記患者が特定された前記第二の領域に存在しないことを検出したとき、アラームの出力要求を所定の端末に送信する、処理をコンピュータに実行させる。【選択図】図９
2019144819.tif 000002
【特許請求の範囲】
【請求項１】
入院している患者が前記患者に割り当てられた第一の領域から逸脱してから所定時間が経過した場合、電子カルテシステムから、前記患者の治療に応じて設定されたスケジュールを示す情報を取得し、
前記スケジュールを示す情報に基づき予測される前記患者の居場所に関する第二の領域を特定し、
前記患者が特定された前記第二の領域に存在しないことを検出したとき、アラームの出力要求を所定の端末に送信する、処理をコンピュータに実行させる管理プログラム。
【請求項２】
前記スケジュールを示す情報は、前記患者の移動先となる場所を示す情報が含まれ、
前記第一の領域と前記移動先となる場所との間の移動時間を示す情報が格納された移動記憶部を参照し、予定された前記患者の居場所に関する第二の領域を特定する、処理を前記コンピュータに実行させる、請求項１記載の管理プログラム。
【請求項３】
前記患者が設定した予定を示す情報が格納された予定記憶部を参照し、
予定された前記患者の居場所に関する前記第二の領域を特定する、処理を前記コンピュータに実行させる請求項１又は２記載の管理プログラム。
【請求項４】
前記電子カルテシステムから、前記患者が前記スケジュールを示す情報に含まれていない処置又は検査を受けるための受付を行ったことを示す受付情報を受信していた場合、前記患者が前記第二の領域内に存在しない場合であっても、前記アラームの出力要求の送信を行わない、処理を前記コンピュータに実行させる、請求項１乃至３の何れか一項に記載の管理プログラム。
【請求項５】
コンピュータによる管理方法であって、前記コンピュータが、
入院している患者が前記患者に割り当てられた第一の領域から逸脱してから所定時間が経過した場合、電子カルテシステムから、前記患者の治療に応じて設定されたスケジュールを示す情報を取得し、
前記スケジュールを示す情報に基づき予測される前記患者の居場所に関する第二の領域を特定し、
前記患者が特定された前記第二の領域に存在しないことを検出したとき、アラームの出力要求を所定の端末に送信する、管理方法。
【請求項６】
入院している患者が前記患者に割り当てられた第一の領域から逸脱してから所定時間が経過した場合、電子カルテシステムから、前記患者の治療に応じて設定されたスケジュールを示す情報を取得する取得部と、
前記スケジュールを示す情報に基づき予測される前記患者の居場所に関する第二の領域を特定する特定部と、
前記患者が特定された前記第二の領域に存在しないことを検出したとき、アラームの出力要求を所定の端末に送信する出力部と、を有する管理装置。
【発明の詳細な説明】
【技術分野】
【０００１】
本発明は、管理プログラム、管理方法及び管理装置に関する。
【背景技術】
【０００２】
従来では、医療機関等において、患者の徘徊等を防止する技術が知られている。この技術の１つとして、例えば、入院している患者がベッド等から一定時間離れた場合等に、看護師用端末にアラームを送出する技術が知られている。
【先行技術文献】
【特許文献】
【０００３】
【特許文献１】特開２００１−１８４４０８号公報
【特許文献２】特開２００５−２７８８６４号公報
【特許文献３】特開２００４−３４８７１７号公報
【発明の概要】
【発明が解決しようとする課題】
【０００４】
上述した従来の技術では、例えば、患者が処置室等へ移動している時間帯や、患者が検査や処置を受けている間等であっても、看護師用端末にアラームが出力される場合がある。このような場合、不要なアラームが看護師用端末に出力されることになり、対処する看護師の負担を増加させる可能性がある。
【０００５】
１つの側面では、本発明は、不要なアラームの出力を抑制することを目的としている。
【課題を解決するための手段】
【０００６】
一つの態様では、入院している患者が前記患者に割り当てられた第一の領域から逸脱してから所定時間が経過した場合、電子カルテシステムから、前記患者の治療に応じて設定されたスケジュールを示す情報を取得し、前記スケジュールを示す情報に基づき予測される前記患者の居場所に関する第二の領域を特定し、前記患者が特定された前記第二の領域に存在しないことを検出したとき、アラームの出力要求を所定の端末に送信する、処理をコンピュータに実行させる。
【０００７】
上記各処理は、上記各処理を実現する機能部、各処理を実現する手順としても良く、各処理をコンピュータに実行させるプログラムを記憶したコンピュータ読み取り可能な記憶媒体とすることもできる。
【発明の効果】
【０００８】
不要なアラームの出力を抑制できる。
【図面の簡単な説明】
【０００９】
【図１】第一の実施形態の管理システムのシステム構成の一例を示す図である。
【図２】第一の実施形態の管理装置のハードウェア構成の一例を示す図である。
【図３】第一の実施形態の移動データベースの一例を示す図である。
【図４】第一の実施形態の不在時間許容データベースの一例を示す図である。
【図５】第一の実施形態の患者状態データベースの一例を示す図である。
【図６】第一の実施形態の患者スケジュールデータベースの一例を示す図である。
【図７】第一の実施形態の受付状態データベースの一例を示す図である。
【図８】第一の実施形態の管理処理部の機能を説明する図である。
【図９】第一の実施形態の管理装置の動作を説明するフローチャートである。
【図１０】第二の実施形態の管理システムのシステム構成の一例を示す図である。
【図１１】第二の実施形態の患者予定データベースの一例を示す図である。
【図１２】第二の実施形態の現在位置データベースの一例を示す図である。
【図１３】第二の実施形態の音声データベースの一例を示す図である。
【図１４】第二の実施形態の顔認証データベースの一例を示す図である。
【図１５】第二の実施形態の日常行動データベースの一例を示す図である。
【図１６】第二の実施形態の管理処理部の機能を説明する図である。
【図１７】第二の実施形態の管理装置の動作を説明するフローチャートである。
【発明を実施するための形態】
【００１０】
（第一の実施形態）
以下に図面を参照して、第一の実施形態について説明する。図１は、第一の実施形態の管理システムのシステム構成の一例を示す図である。
【００１１】
本実施形態の管理システム１００は、管理装置２００と、電子カルテシステム３００と、ナースコールシステム４００とを含む。
【００１２】
本実施形態の管理システム１００は、例えば、医療機関等に設けられており、例えば、医療機関に入院している患者の状態を管理する。
【００１３】
本実施形態の管理装置２００は、電子カルテシステム３００及びナースコールシステム４００とネットワーク等を介して接続される。管理装置２００は、例えば、患者がベッド等に所定時間不在であることが検出されると、電子カルテシステム３００において管理されている患者のスケジュールを参照し、予定された場所に患者がいるか否かを検出する。また、管理装置２００は、電子カルテシステム３００において予定されている場所での患者の不在を検出すると、ナースコールシステム４００に対してアラームの出力要求を行う。
【００１４】
このように、本実施形態の管理装置２００は、患者がベッド等に不在であった場合は、電子カルテシステム３００と連携して、アラームの出力の要否を判定している。したがって、本実施形態によれば、患者がベッドに所定時間以上不在であっても、検査や処置、診察等を受け付けている場合には、アラームは出力されない。よって、本実施形態によれば、不要なアラームの出力を抑制できる。
【００１５】
本実施形態の管理装置２００は、移動データベース２１０、不在時間許容データベース２２０、患者状態データベース２３０、管理処理部２４０を有する。
【００１６】
移動データベース２１０は、管理システム１００が導入されている医療機関等におけるある場所からある場所への移動時間に関する情報が格納される。不在時間許容データベース２２０は、患者（入力患者）がベッド等を不在にしていても許容される時間を示す情報が格納される。患者状態データベース２３０は、患者の状態を示す情報が格納される。
【００１７】
管理処理部２４０は、不在時間許容データベース２２０を参照し、ベッドや病室等の患者に割り当てられた領域（第一の領域）における患者の不在が許容される時間以上であることを検出する。そして、管理処理部２４０は、電子カルテシステム３００で管理されている患者のスケジュールと、移動データベース２１０とを参照し、患者の不在が予定外の行動であるか否かを判定し、その結果に応じてアラームをナースコールシステム４００に出力させる。
【００１８】
本実施形態の電子カルテシステム３００は、患者毎に、診療の記録、検査オーダ、処方、画像・検査結果等の情報を管理するシステムである。
【００１９】
電子カルテシステム３００で管理される情報は、医療機関の医師により入力される項目と、看護師や検査技師等の医療スタッフによって入力される項目とを含む。また、電子カルテシステム３００は、例えば、管理対象となる情報が格納されたサーバと、医師や医療スタッフ等が情報を閲覧したり、情報を入力したりするための端末装置とを含む。
【００２０】
本実施形態の電子カルテシステム３００は、例えば、患者スケジュールデータベース３１０と、受付状態データベース３２０と、を有する。
【００２１】
患者スケジュールデータベース３１０は、患者毎のスケジュールを示す情報が格納される。受付状態データベース３２０は、患者のスケジュールに含まれる検査や処置、診察等を、患者が受けたか否かを示す情報が格納される。
【００２２】
ナースコールシステム４００は、管理装置２００からアラームの出力要求を受けて、アラームを出力する。ナースコールシステム４００は、アラームを、例えば、一般的なナースコールとして出力しても良い。
【００２３】
次に、本実施形態の管理装置２００について説明する。図２は、第一の実施形態の管理装置のハードウェア構成の一例を示す図である。
【００２４】
本実施形態の管理装置２００は、それぞれバスＢで相互に接続されている入力装置２１、出力装置２２、ドライブ装置２３、補助記憶装置２４、メモリ装置２５、演算処理装置２６及びインターフェース装置２７を含む。
【００２５】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００２６】
管理処理部２４０等を実現する管理プログラムは、管理装置２００を制御する各種プログラムの少なくとも一部である。管理プログラムは例えば記憶媒体２８の配布やネットワークからのダウンロード等によって提供される。管理プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２７】
また、管理プログラムは、管理プログラムを記録した記憶媒体２８がドライブ装置２３にセットされると、記憶媒体２８からドライブ装置２３を介して補助記憶装置２４にインストールされる。ネットワークからダウンロードされた管理プログラムは、インターフェース装置２７を介して補助記憶装置２４にインストールされる。
【００２８】
補助記憶装置２４は、インストールされた管理プログラムを格納すると共に、上述した移動データベース２１０、不在時間許容データベース２２０、患者状態データベース２３０等の必要なファイル、データ等を格納する。メモリ装置２５は、管理装置２００の起動時に補助記憶装置２４から管理プログラムを読み出して格納する。そして、演算処理装置２６はメモリ装置２５に格納された管理プログラムに従って、後述するような各種処理を実現している。
【００２９】
次に、図３乃至図５を参照して、管理装置２００の有する各データベースについて説明する。管理装置２００の各データベースは、例えば、補助記憶装置２４等の記憶領域に格納されても良い。
【００３０】
図３は、第一の実施形態の移動データベースの一例を示す図である。本実施形態では、移動データベース２１０は、予め管理装置２００に与えられている。
【００３１】
移動データベース２１０は、情報の項目として種別、部屋、病棟、病室、平均移動時間を有し、各項目が対応付けられている。以下の説明では、移動データベース２１０において、各項目の値を含む情報を移動情報と呼ぶ。
【００３２】
項目「種別」の値は、患者に対して行われる検査や処置の種類を示す。項目「部屋」の値は、検査や処置が行われる場所（部屋）の名称を示す。項目「病棟」の値は、管理システム１００が導入されている医療機関等の病棟名を示す。
【００３３】
項目「病室」の値は、管理システム１００が導入されている医療機関等の病室名を示す。項目「平均移動時間」の値は、項目「部屋」の値が示す場所から項目「病室」が示す場所までの移動時間の平均値である。尚、項目「平均移動時間」の値は、複数の患者や看護師等の移動時間から算出された値である。
【００３４】
図３の例では、例えば、ＭＲＩ（Magnetic  Resonance  Imaging）検査を行う撮影室２と、病棟３Ａの病室３０１との間の平均移動時間は１７分であることがわかる。
【００３５】
尚、図３では、病室から項目「部屋」の値が示す場所への平均移動時間が格納された例としたが、これに限定されない。移動データベース２１０には、例えば、撮影室１から撮影室２までの平均移動時間等を示す情報が格納されていても良い。
【００３６】
図４は、第一の実施形態の不在時間許容データベースの一例を示す図である。本実施形態の不在時間許容データベース２２０は、予め管理装置２００に与えられていても良い。
【００３７】
不在時間許容データベース２２０は、情報の項目として、患者ＩＤ、時間帯、不在許容時間を有し、項目「患者ＩＤ」とその他の項目とが対応付けられている。以下の説明では、不在時間許容データベース２２０において、項目「患者ＩＤ」の値と、その他の項目の値とを含む情報を、不在許容時間情報と呼ぶ。
【００３８】
項目「患者ＩＤ」の値は、患者を特定するための識別情報である。項目「時間帯」の値は、１日のうちの時間帯を示す。項目「不在許容時間」の値は、対応する時間帯において、不在が許容される時間を示す。尚、本実施形態の項目「不在許容時間」の値は、対応する時間帯において、患者が連続して不在とすることが許容される時間である。
【００３９】
図４の例では、患者ＩＤ「０００１」の患者は、午前中の時間帯は、１０分間続けて不在とされることが許容されていることがわかる。
【００４０】
図５は、第一の実施形態の患者状態データベースの一例を示す図である。本実施形態の患者状態データベース２３０は、管理処理部２４０によって取得された患者の状態を示す情が蓄積される。
【００４１】
患者状態データベース２３０は、情報の項目として、患者ＩＤ、日時、状態を有し、項目「患者ＩＤ」の値と他の項目とが対応付けられている。以下の説明では、患者状態データベース２３０において、項目「患者ＩＤ」の値とその他の項目の値とを含む情報を患者状態情報と呼ぶ。
【００４２】
項目「日時」の値は、患者状態情報を取得した日時を示す。項目「状態」の値は、患者の状態を示す。本実施形態では、項目「状態」の値には、患者が滞在している場所、アラームが出力されているか否かを示す情報、患者が検査や処置を受けるための受付を行ったか否かを示す情報等が含まれる。
【００４３】
図５の例では、患者ＩＤ「０００１」の患者が、２０１７年１２月４日の１２：３０には、自身のベッドが配置されている病室に在室していることがわかる。
【００４４】
尚、本実施形態の電子カルテシステム３００は、患者の氏名、性別、年齢、入院している病室、病名等を含む患者情報が格納された患者データベースを有していても良い。また、この患者データベースは、管理装置２００が有していても良い。
【００４５】
次に、図６及び図７を参照して、電子カルテシステム３００に格納された患者スケジュールデータベース３１０と受付状態データベース３２０について説明する。
【００４６】
図６は、第一の実施形態の患者スケジュールデータベースの一例を示す図である。本実施形態の患者スケジュールデータベース３１０は、電子カルテシステム３００に含まれるサーバの記憶装置等に設けられる。患者スケジュールデータベース３１０には、患者に対して行われる検査や処置、診察等、患者の治療に関する予定を示す情報が格納されている。言い換えれば、患者スケジュールデータベース３１０には、患者の治療に応じて設定されたスケジュールを示す情報が格納されている。
【００４７】
本実施形態の患者スケジュールデータベース３１０は、情報の項目として、少なくとも、患者ＩＤ、レコードタイプ、種別、部屋、日時を含み、項目「患者ＩＤ」と他の項目とが対応付けられている。以下の説明では、患者スケジュールデータベース３１０において、項目「患者ＩＤ」の値と、他の項目の値と、を含む情報をスケジュール情報と呼ぶ。
【００４８】
項目「レコードタイプ」の値は、スケジュール情報を入力したスタッフの職種等を示す。例えば、項目「レコードタイプ」の値が「依頼」となっている場合には、医師により入力されたスケジュール情報であることを示しても良い。項目「種別」の値は、患者に対して行われる検査や処置の種類を示す。項目「日時」の値は、項目「種別」の値が示す検査や処置等の開始日時と、終了日時とを示す。
【００４９】
図６の例では、患者ＩＤ「０００１」の患者は、２０１７年１２月４日の１３：００から１３：３０までの間に、撮影室１で「一般撮影」という名称の検査を受ける予定であることがわかる。
【００５０】
尚、患者スケジュールデータベース３１０に格納されるスケジュール情報は、図６に示す項目以外の項目が含まれていて良い。具体的には、例えば、スケジュール情報には、検査を行う検査室や、処置や診察を受ける部屋を示す項目や、担当技師や担当医の名前を示す項目等が含まれていても良い。
【００５１】
図７は、第一の実施形態の受付状態データベースの一例を示す図である。本実施形態の受付状態データベース３２０は、情報の項目として、患者ＩＤ、レコードタイプ、種別、部屋、受付状態、受付日時を含み、項目「患者ＩＤ」と他の項目とが対応付けられている。以下の説明では、受付状態データベース３２０において、項目「患者ＩＤ」の値と、他の項目の値と、を含む情報を受付状態情報と呼ぶ。
【００５２】
本実施形態の受付状態情報は、例えば、電子カルテシステム３００において、スケジュール情報が入力されると、スケジュール情報と連動して受付状態データベース３２０に格納されても良い。
【００５３】
項目「受付状態」の値は、患者が、項目「種別」の値が示す検査や処置等を受けるための受付を行ったか否かを示す。
【００５４】
具体的には、例えば、患者が「一般撮影」という検査を受ける場合には、「一般撮影」を行う検査室へ移動し、検査室において検査を受けるための受付を行う。
【００５５】
このとき、検査室のスタッフは、この患者が「一般撮影」という検査を受けるための受付を行ったことを、受付状態データベース３２０に入力する。ここで入力される値が、項目「受付状態」の値として、受付状態データベース３２０に格納される。
【００５６】
本実施形態では、項目「受付状態」の値が「受付済」であった場合には、受付が行われたことを示し、項目「受付状態」の値が「未受付」であった場合には、受付が行われていないことを示す。
【００５７】
また、本実施形態では、受付状態情報が患者状態データベース２３０に格納される場合には、項目「受付状態」の値は、「未受付」が初期値となる。
【００５８】
項目「受付日時」の値は、項目「受付状態」の値が、「未受付」から「受付済」となった日時を示す。したがって、受付状態情報が受付状態データベース３２０に格納されたときは、項目「受付日時」の値は、ない状態となる。
【００５９】
図７の例では、例えば、患者ＩＤ「０００１」の患者が、撮影室１で「一般撮影」という検査を受けるために、２０１７年１２月４日の１２：４５に受付したことがわかる。また、図７の例では、例えば、患者ＩＤ「０００１」の患者は、「手術」を受けるための受付は、まだ行っていないことがわかる。
【００６０】
尚、本実施形態の電子カルテシステム３００は、受付状態データベース３２０において、項目「受付状態」の値が、「未受付」から「受付済」となったとき、受付が行われたことを示す通知を管理装置２００へ送信しても良い。
【００６１】
次に、図８を参照して、管理装置２００の有する管理処理部２４０の機能について説明する。図８は、第一の実施形態の管理処理部の機能を説明する図である。
【００６２】
本実施形態の管理処理部２４０は、患者位置検出部２４１、許容時間判定部２４２、スケジュール判定部２４３、移動判定部２４４、受付状態判定部２４５、状態格納部２４６、アラーム出力部２４７を有する。
【００６３】
患者位置検出部２４１は、患者毎に患者の位置を検出する。以下に患者の位置の検出について説明する。
【００６４】
本実施形態の管理システム１００が導入された医療機関等では、例えば、病室や患者のベッドの側、検査室や処置室、診察室の入り口付近、売店や食堂等に、カメラが設置されていても良い。この場合、各場所に設定されたカメラが撮像した画像の画像データは、電子カルテシステム３００等に格納されても良い。
【００６５】
この場合、患者位置検出部２４１は、例えば、患者毎に、患者の顔を撮像した画像の画像データを保持しておき、この画像データと、電子カルテシステム３００に格納された画像データとを照合して、患者の居場所（位置）を特定しても良い。
【００６６】
また、本実施形態の管理システム１００が導入された医療機関等では、例えば、病室や患者のベッドの側、検査室や処置室、診察室の入り口付近、売店や食堂等に、ビーコン信号を送信する送信機が設置されていても良い。また、本実施形態では、ビーコン信号を受信して応答信号を送信機に送信する受信機を、患者に装着させる。受信機は、例えば、リストバンド等として、患者に装着させても良い。
【００６７】
この場合、患者位置検出部２４１は、患者が装着している受信機から応答信号を受けたことを示す通知を受けた送信機の設置位置に基づき、患者の位置を検出しても良い。
【００６８】
また、本実施形態では、例えば、患者が使用しているベッドに、センサが設けられており、このセンサによって、患者がベッドを離れたことを検出しても良い。
【００６９】
許容時間判定部２４２は、患者が、患者に割り当てられた領域内にいないことを検出する。また、許容時間判定部２４２は、不在時間許容データベース２２０を参照して、患者が領域内を不在としている時間が不在許容時間内であるか否かを判定する。つまり、本実施形態の許容時間判定部２４２は、患者が、患者が割り当てられた領域から逸脱してから所定時間が経過したことを検出する。
【００７０】
尚、本実施形態において、患者に割り当てられた領域とは、例えば、患者のベッドや患者が入院している病室等である。本実施形態では、例えば、症状が比較的軽い患者については、患者が入力している病室を、患者に割り当てられた領域しても良い。また、本実施形態では、症状が比較的重く、安静が要求される患者については、患者のベッドを患者な割り当てられた領域としても良い。
【００７１】
スケジュール判定部２４３は、電子カルテシステム３００の患者スケジュールデータベース３１０を参照し、患者のスケジュールと、患者位置検出部２４１により検出された患者の位置とを比較し、患者がスケジュール通りの行動をしているか否かを判定する。
【００７２】
移動判定部２４４は、移動データベース２１０を参照し、患者のスケジュールと対応した平均移動時間を取得し、患者が移動中であるか否かを判定する。
【００７３】
受付状態判定部２４５は、電子カルテシステム３００の受付状態データベース３２０を参照し、患者が予定された検査や処置を受けるための受け付けを行ったか否かを判定する。
【００７４】
状態格納部２４６は、患者状態データベース２３０に患者状態情報を格納する。
【００７５】
アラーム出力部２４７は、上述した各判定部による判定結果に応じて、ナースコールシステム４００に対してアラームの出力要求を行う。言い換えれば、アラーム出力部２４７は、各判定部の判定結果から、電子カルテシステム３００において予定された居場所（第二の領域）に不在であること判定された場合に、所定の端末に対してアラームの出力要求を送信する出力部の役割を果たす。
【００７６】
尚、本実施形態において、患者の居場所（第二の領域）は、例えば、１つ場所（一箇所）を示しても良いし、１つの場所を含む領域であっても良い。
【００７７】
以下に、図９を参照して、本実施形態の管理装置２００の動作を説明する。図９は、第一の実施形態の管理装置の動作を説明するフローチャートである。本実施形態の管理装置２００は、図９に示す処理を所定時間毎に繰り返し実行する。
【００７８】
本実施形態の管理装置２００において、管理処理部２４０は、患者位置検出部２４１により、患者の位置を検出し、患者が、患者に割り当てられた領域内にいるか否かを判定する（ステップＳ９０１）。言い換えれば、管理処理部２４０は、患者が、患者に割り当てられた領域内には不在であるか否かを判定する。
【００７９】
ステップＳ９０１において、患者が割り当てられた領域内にいる場合、管理処理部２４０は、後述するステップＳ９０６へ進む。
【００８０】
ステップＳ９０１において、患者が、患者に割り当てられた領域内には不在である場合、管理処理部２４０は、許容時間判定部２４２により、不在許容時間が経過したか否かを判定する（ステップＳ９０２）。
【００８１】
具体的には、許容時間判定部２４２は、不在が検出された患者の患者ＩＤと、不在が検出されたときの日時を示す情報とを取得し、不在時間許容データベース２２０において、患者ＩＤと対応する不在許容時間情報を参照する。そして、許容時間判定部２４２は、不在が検出された時間帯と対応する不在許容時間を取得し、患者の不在が検出されてから、不在許容時間が経過したか否かを判定している。
【００８２】
ステップＳ９０２において、不在許容時間が経過していない場合、管理処理部２４０は、ステップＳ９０１へ戻る。
【００８３】
ステップＳ９０２において、不在許容時間が経過した場合、管理処理部２４０は、スケジュール判定部２４３により、電子カルテシステム３００の患者スケジュールデータベース３１０を抽出し、検査や処置の予定がないか判定する（ステップＳ９０３）。
【００８４】
具体的には、スケジュール判定部２４３は、電子カルテシステム３００の患者スケジュールデータベース３１０を参照し、不在が検出された患者の患者ＩＤを含むスケジュール情報から、項目「日時」の値に、不在が検出された日時が含まれるスケジュール情報が存在するか否かを判定する。
【００８５】
ステップＳ９０３において、該当するスケジュール情報が存在する場合は、検出された不在は、スケジュール情報で設定されていた予定のためであることがわかる。そこで、スケジュール判定部２４３は、このスケジュール情報と連動した受付情報を受信していた場合に、不在が検出された患者は、スケジュール情報が示す予定通りに行動していると言える。
【００８６】
したがって、ステップＳ９０３で該当するスケジュール情報が存在し、且つ、スケジュール情報と対応する受付情報を受信した場合には、管理処理部２４０は後述するステップＳ９０６へ進む。
【００８７】
ステップＳ９０３において、該当するスケジュール情報が存在しない場合、管理処理部２４０は、移動判定部２４４により、移動データベース２１０を参照し、不在が検出された日時が、移動時間中であるか否かを判定する（ステップＳ９０４）。
【００８８】
具体的には、移動判定部２４４は、ステップＳ９０３で抽出した患者の患者ＩＤを含むスケジュール情報に含まれる項目「日時」の値である開始時間と終了時間と、項目「部屋」の値とを取得する。そして、移動判定部２４４は、移動データベース２１０を参照し、スケジュール情報から取得した項目「部屋」の値と、患者が入院している病室との移動時間を取得する。
【００８９】
そして、移動判定部２４４は、取得した移動時間と、スケジュール情報に含まれる項目「日時」の値である開始時間と終了時間とから、患者が検出された日時が、移動時間に含まれるか否かを判定している。
【００９０】
ステップＳ９０４において、患者の不在が検出された日時が移動時間中である場合、管理処理部２４０は、後述するステップＳ９０６へ進む。
【００９１】
ステップＳ９０４において、患者の不在が検出された日時が移動時間中でない場合、管理処理部２４０は、受付状態参照部２４５により、患者スケジュールデータベース３１０に格納されたスケジュール情報に含まれない処置や検査の受付を示す受付情報を受信したか否かを判定する（ステップＳ９０５）。尚、このとき、受付状態参照部２４５は、前回図９の処理を実行したとき日時から、患者の不在を検出した日時までの間に、この受付情報を受信したか否かを判定している。
【００９２】
管理装置２００がスケジュール情報に含まれない置や検査の受付を示す受付情報を受信する場合とは、緊急でなんらかの検査や処置が行われていることを示す。
【００９３】
したがって、ステップＳ９０５において、該当する受付情報を受信した場合には、後述するステップＳ９０６へ進む。本実施形態の管理処理部２４０は、状態格納部２４６により、患者状態データベース２３０に新たな患者状態情報を格納し（ステップＳ９０６）、処理を終了する。
【００９４】
ここで、患者状態データベース２３０に格納される患者状態情報について説明する。例えば、ステップＳ９０３において、患者の不在が検出された日時が、検査や処置を行ってする時間であった場合、状態格納部２４６は、この患者の患者ＩＤと、患者の不在を検出した日時と、該当する患者状態（検査中／処置中）と、を対応付けた患者情状態報を患者状態データベース２３０に格納する。
【００９５】
また、例えば、ステップＳ９０４において、患者の不在が検出された日時が、移動時間であった場合、状態格納部２４６は、この患者の患者ＩＤと、患者の不在を検出した日時と、該当する患者状態（移動中）と、を対応付けた患者状態情報を患者状態データベース２３０に格納する。
【００９６】
また、例えば、ステップＳ９０５において、患者の不在が検出されたとき、予定外の受付情報を受信したいた場合、状態格納部２４６は、この患者の患者ＩＤと、患者の不在を検出した日時と、該当する患者状態（緊急検査／処置中）と、を対応付けた患者状態情報を患者状態データベース２３０に格納する。
【００９７】
ステップＳ９０５において、該当する受付情報を受信していない場合、患者は、検査や処置やそのための移動以外の理由で、許容不在時間よりも長い時間、割り当てられた領域内に不在としており、事故や徘徊等の可能性があることを示す。
【００９８】
したがって、本実施形態では、ステップＳ９０５において、該当する受付情報を受信していない場合、アラーム出力部２４７により、ナースコールシステム４００に対してアラームの出力要求を行い（ステップＳ９０７）、処理を終了する。
【００９９】
つまり、本実施形態の管理処理部２４０の許容時間判定部２４２、スケジュール判定部２４３、移動判定部２４４、受付状態参照部２４５は、不在許容時間より長い時間、割当たられた領域の不在が検出された患者について、この患者のスケジュール情報を取得する取得部と、スケジュール情報に基づき、予定された患者の居場所（第二の領域）を特定する特定部の役割を果たす。
【０１００】
このように、本実施形態によれば、管理装置２００を電子カルテシステム３００と連動させる。そして、本実施形態では、患者のベッドや病室等における不在が検出されてから、許容不在時間が経過した後に、電子カルテシステム３００において管理されている患者のスケジュール情報を参照して、患者が予定された場所にいない場合に、アラームの出力要求をナースコールシステム４００へ送信する。
【０１０１】
よって、本実施形態によれば、検査や処置を受けるために病室を不在とした場合等は、アラームが出力されることがなく、不要なアラームの出力を抑制することができ、アラームに対応する医療スタッフの負荷を軽減できる。
【０１０２】
尚、本実施形態の管理装置２００は、アラームの出力要求をナースコールシステム４００へ送信した場合、その旨を示すメッセージ等を管理装置２００のディスプレイや管理装置２００と説明された端末等に表示させても良い。
【０１０３】
（第二の実施形態）
以下に図面を参照して第二の実施形態について説明する。第二の実施形態は、検査や処置以外の患者の個人的な理由により不在時にも、アラームの出力対象から除外する点が、第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１０４】
図１０は、第二の実施形態の管理システムのシステム構成の一例を示す図である。本実施形態の管理システム１００Ａは、管理装置２００Ａと、電子カルテシステム３００Ａと、ナースコールシステム４００と、を有する。
【０１０５】
管理装置２００Ａは、移動データベース２１０、不在時間許容データベース２２０、患者状態データベース２３０、管理処理部２４０Ａ、患者予定データベース２５０、現在位置データベース２６０、音声データベース２７０、顔認証データベース２８０を有する。
【０１０６】
また、本実施形態の電子カルテシステム３００Ａは、患者スケジュールデータベース３１０、受付状態データベース３２０、日常行動データベース３３０を有する。
【０１０７】
図１１は、第二の実施形態の患者予定データベースの一例を示す図である。本実施形態の患者予定データベース２５０は、患者の予定を示す情報が格納される。本実施形態では、例えば、患者の病室やベッドサイド等に、患者の予定を入力するための端末等が配置されており、この端末を介して、患者の予定が入力されると、入力された情報が患者予定データベース２５０に蓄積される。尚、患者の予定は、患者が所持している携帯電話やスマートフォン等の携帯端末から入力されても良い。
【０１０８】
患者予定データベース２５０は、情報の項目として、患者ＩＤ、日付、時間帯、場所、内容を有し、項目「患者ＩＤ」とその他の項目とが対応付けられている。以下の説明では、患者予定データベース２５０において、項目「患者ＩＤ」の値と、その他の項目の値とを含む情報を患者予定情報と呼ぶ。
【０１０９】
項目「日付」の値は、予定が設定された日付を示す。項目「時間帯」の値は、予定が設定された時間帯を示す。項目「場所」の値は、対応する日付と時間帯に患者が滞在する場所を示す。項目「内容」の値は、予定の内容を示す。
【０１１０】
図１１の例では、患者ＩＤ「０００１」の患者は、２０１７年１２月１１日の１５：００〜１７：００は、見舞客の対応のために談話室に滞在する予定であることがわかる。
【０１１１】
図１２は、第二の実施形態の現在位置データベースの一例を示す図である。本実施形態の現在位置データベース２６０は、患者位置検出部２４１が患者の位置を検出する度に、患者の現在位置を示す情報が格納される。
【０１１２】
本実施形態の現在位置データベース２６０は、情報の項目として、患者ＩＤ、日付、時刻、現在位置を有し、項目「患者ＩＤ」とその他の項目とが対応付けられている。以下の説明では、現在位置データベース２６０において、項目「患者ＩＤ」の値と、その他の項目の値とを含む情報を患者位置情報と呼ぶ。
【０１１３】
項目「時間」の値は、患者位置情報を取得した時刻を示す。項目「現在位置」の値は、患者位置検出部２４１が検出した患者の現在位置を示す。
【０１１４】
図１２の例では、２０１７年１２月１１日の１５：００の患者ＩＤ「０００１」の患者の現在位置は、談話室であることがわかる。
【０１１５】
尚、本実施形態では、医療機関に設けられ、ビーコン信号を送信する複数の送信機と、各送信機が設置された場所とを対応付けた情報が記憶された記憶部等を有していても良い。そして、患者位置検出部２４１は、この記憶部を参照し、患者が装着している受信機から応答信号を受信した送信機を特定し、特定された送信機が設置された場所を患者の現在位置としても良い。
【０１１６】
図１３は、第二の実施形態の音声データベースの一例を示す図である。本実施形態の音声データベース２７０は、予め管理装置２００Ａに設けられている。本実施形態では、例えば、患者が医療機関に入院する際に、予め患者が発話した音声のデータと、音声が示す指示内容とを対応付けた情報を音声データベース２７０に格納しておく。
【０１１７】
本実施形態の音声データベース２７０は、情報の項目として、患者ＩＤ、録音日時
音声データ、指示内容を有し、項目「患者ＩＤ」とその他の項目とが対応付けられている。以下の説明では、音声データベース２７０において、項目「患者ＩＤ」の値と、その他の項目の値とを含む情報を音声情報と呼ぶ。
【０１１８】
項目「録音日時」の値は、音声データが録音された日時を示す。項目「音声データ」の値は、録音された音声データである。項目「指示内容」の値は、管理装置２００Ａに対する指示の内容を示す。
【０１１９】
図１３の例では、患者ＩＤ「０００１」の患者が「ナースコール」と発話した場合、ナースコールシステム４００に対してナースコールの出力要求が送信される。
【０１２０】
図１４は、第二の実施形態の顔認証データベースの一例を示す図である。本実施形態の顔認証データベース２８０は、予め管理装置２００Ａに設けられている。本実施形態では、患者が医療機関に入院する際に、平常時の表情の顔の画像を撮影し、この画像の画像データを顔認証データベース２８０に格納しておく。
【０１２１】
本実施形態の顔認証データベース２８０は、情報の項目として、患者ＩＤ、撮影日時、顔画像データを有し、項目「患者ＩＤ」とその他の項目とが対応付けられている。以下の説明では、顔認証データベース２８０において、項目「患者ＩＤ」の値と、その他の項目の値とを含む情報を顔画像情報と呼ぶ。
【０１２２】
次に、本実施形態の電子カルテシステム３００Ａの有する日常行動データベース３３０について説明する。
【０１２３】
図１５は、第二の実施形態の日常行動データベースの一例を示す図である。本実施形態の日常行動データベース３３０は、例えば、患者位置検出部２４１が患者の現在位置を検出する度に更新されても良い。言い換えれば、本実施形態の日常行動データベース３３０は、管理装置２００Ａの現在位置データベース２６０に現在位置情報が格納されるときに、更新されても良い。
【０１２４】
本実施形態の日常行動データベース３３０は、情報の項目として、患者ＩＤ、場所、時刻を有し、項目「患者ＩＤ」とその他の項目とが対応付けられている。以下の説明では、受付状態データベース３２０において、項目「患者ＩＤ」の値と、その他の項目の値とを含む情報を日常行動情報と呼ぶ。
【０１２５】
次に、図１６を参照して、本実施形態の管理装置２００Ａの有する管理処理部２４０Ａの機能について説明する。図１６は、第二の実施形態の管理処理部の機能を説明する図である。
【０１２６】
本実施形態の管理処理部２４０Ａは、患者位置検出部２４１、許容時間判定部２４２、スケジュール判定部２４３、移動判定部２４４、受付状態判定部２４５、状態格納部２４６、アラーム出力部２４７を有する。また、本実施形態の管理処理部２４０Ａは、音声認識部２５１、画像認識部２５２、予定判定部２５３を有する。
【０１２７】
本実施形態では、患者に割り当てられた領域に、患者の顔の画像を撮像するためのカメラと、患者の音声データを取得するための集音装置（マイク）とが設けられているものとする。カメラとマイクは、例えば、患者に割り当てられた領域の中でも、ベッドサイド等に設けられることが好ましい。
【０１２８】
本実施形態の音声認識部２５１は、音声認識機能を有し、患者のベッドサイド等に設けられたマイク等によって取得された音声データを解析し、音声データが音声データベース２７０に格納された指示内容と対応する音声データと一致するか否かを判定する。
【０１２９】
本実施形態の画像認識部２５２は、患者のベッドサイド等に設けられたカメラ等によって取得された患者の顔の画像データを取得する。そして、画像認識部２５２は、この画像データが示す患者の表情が、顔認証データベース２８０に格納された画像データが示す患者の表情と異なるか否かを判定する。
【０１３０】
具体的には、画像認識部２５２は、ベッドサイドのカメラによって取得された画像データにおける患者の顔の画像と、顔認証データベース２８０に格納された画像データにおける患者の顔の画像とを比較し、目や口の形状等から、患者の表情が通常時と異なることを判定しても良い。尚、このとき、画像認識部２５２は、通常時と異なる表情として、笑顔を除外しても良く、画像認識部２５２は、患者の表情が泣き顔や困った顔であるときに、通常時と異なる表情として判定しても良い。
【０１３１】
本実施形態の予定判定部２５３は、患者予定データベース２５０を参照して、患者の不在が検出された時刻に、患者の予定が設定されているか否かを判定する。
【０１３２】
以下に、図１７を参照して、本実施形態の管理装置２００Ａの動作を説明する。図１７は、第二の実施形態の管理装置の動作を説明するフローチャートである。本実施形態の管理装置２００Ａは、図１７に示す処理を所定時間毎に繰り返し実行する。
【０１３３】
本実施形態の管理装置２００Ａは、管理処理部２４０Ａの音声認識部２５１により、マイク等により取得した音声データが、音声データベース２７０の指示内容と対応する音声データであるか否かを判定する（ステップＳ１７０１）。ステップＳ１７０１において、指示内容と対応する音声データである場合、音声認識部２５１は、後述するステップＳ１７１０へ進む。
【０１３４】
ステップＳ１７０１において、指示内容と対応する音声データを取得していない場合、管理処理部２４０Ａは、画像認識部２５２により、カメラが撮影した患者の画像データを取得し、顔認証データベース２８０を参照して患者の表情が通常時と異なるか否かを判定する（ステップＳ１７０２）。
【０１３５】
ステップＳ１７０２において、患者の表情が通常時と異なる場合、管理処理部２４０Ａは、後述するステップＳ１７１０へ進む。
【０１３６】
ステップＳ１７０２において、患者の表情が通常の表情である場合、管理処理部２４０Ａは、ステップＳ１７０３へ進む。
【０１３７】
図１７のステップＳ１７０３とステップＳ１７０４の処理は、図９のステップＳ９０１とステップＳ９０２の処理と同様であるから、説明を省略する。
【０１３８】
ステップＳ１７０４において、不在許容時間を経過した場合、管理処理部２４０Ａは、予定判定部２５３により、患者予定データベース２５０を参照し、患者に予定があるか否かを判定する（ステップＳ１７０５）。
【０１３９】
具体的には、予定判定部２５３は、ステップＳ１７０５で患者の不在を検出した時刻が、患者予定データベース２５０に設定された患者予定情報の時間帯に含まれるか否かを判定する
ステップＳ１７０５において、患者の予定がある場合、管理処理部２４０Ａは、後述するステップＳ１７０９へ進む。ステップＳ１７０５において、患者の予定がない場合、管理処理部２４０Ａは、ステップＳ１７０６へ進む。
【０１４０】
図１７のステップＳ１７０６からステップＳ１７０８の処理は、図９のステップＳ９０３からステップＳ９０５までの処理と同様であるから、説明を省略する。
【０１４１】
ステップＳ１７０８において、該当する受付情報を受信した場合、管理処理部２４０Ａは、状態格納部２４６により、患者状態データベース２３０に新たな患者状態情報を格納し、さらに、患者の位置を示す現在位置情報を現在位置データベース２６０へ格納し（ステップＳ１７０９）、処理を終了する。
【０１４２】
ステップＳ１７０８において、該当する受付情報を受信しない場合、管理処理部２４０Ａは、アラーム出力部２４７により、ナースコールシステム４００に対してアラームの出力要求を行い（ステップＳ１７１０）、処理を終了する。
【０１４３】
以上のように、本実施形態では、患者が音声により指示した場合や、患者の表情が通常とは異なっている場合、つまり、患者の状態が通常と異なっている場合を検出し、ナースコールシステム４００に対してアラームの出力要求を送信することができる。
【０１４４】
尚、本実施形態では、管理処理部２４０Ａが音声認識機能と画像認識機能を有する構成としたが、これに限定されない。音声認識機能と画像認識機能は、それぞれの機能を実現する外部サーバ等によって実現されても良い。
【０１４５】
この場合、管理装置２００Ａは、患者の音声データを、音声認識機能を有する外部サーバへ送信し、外部サーバから音声データの認識結果を受信し、認識結果と音声データベース２７０とに基づき、患者の音声データが指示内容と対応しているか否かを判定しても良い。
【０１４６】
また、管理装置２００Ａは、患者の顔を撮影した画像データを画像認識機能を有する外部サーバへ送信し、外部サーバから、患者の表情を比較した結果を取得しても良い。この場合には、顔認証データベース２８０は、画像認識機能を有する外部サーバに設けられていても良い。
【０１４７】
開示の技術では、以下に記載する付記のような形態が考えられる。
（付記１）
入院している患者が前記患者に割り当てられた第一の領域から逸脱してから所定時間が経過した場合、電子カルテシステムから、前記患者の治療に応じて設定されたスケジュールを示す情報を取得し、
前記スケジュールを示す情報に基づき予測される前記患者の居場所に関する第二の領域を特定し、
前記患者が、特定された前記第二の領域に存在しないことを検出したとき、アラームの出力要求を所定の端末に送信する、処理をコンピュータに実行させる管理プログラム。
（付記２）
前記スケジュールを示す情報は、前記患者の移動先となる場所を示す情報が含まれ、
前記第一の領域と前記移動先となる場所との間の移動時間を示す情報が格納された移動記憶部を参照し、予定された前記患者の居場所に関する前記第二の領域を特定する、処理を前記コンピュータに実行させる、付記１記載の管理プログラム。
（付記３）
前記患者が設定した予定を示す情報が格納された予定記憶部を参照し、
予定された前記患者の居場所に関する前記第二の領域を特定する、処理を前記コンピュータに実行させる付記１又は２記載の管理プログラム。
（付記４）
前記電子カルテシステムから、前記患者が前記スケジュールを示す情報に含まれていない処置又は検査を受けるための受付を行ったことを示す受付情報を受信していた場合、前記患者が、予定された前記居場所に関する前記第二の領域に存在しない場合であっても、前記アラームの出力要求の送信を行わない、処理を前記コンピュータに実行させる、付記３記載の管理プログラム。
（付記５）
前記第一の領域内又は前記第一の領域の近傍に設けられた集音装置により音声データを取得し、
前記患者の音声データと、前記音声データが示す指示内容とが対応付けられた音声記憶部を参照し、前記集音装置により集音された音声データが、前記指示内容と対応するか否かを判定し、
前記集音装置により集音された音声データが、前記指示内容と対応する場合に、前記アラームの出力要求を送信する、処理を前記コンピュータに実行させる付記４記載の管理プログラム。
（付記６）
前記第一の領域を撮影した画像の画像データを取得し、
前記患者の平常時の表情を撮影した画像データを記憶した画像記憶部を参照し、取得した前記画像データに含まれる前記患者の表情が、前記平常時の表情と異なることを検出した場合に、前記アラームの出力要求を送信する、付記４又は５に記載の管理プログラム。
（付記７）
コンピュータによる管理方法であって、前記コンピュータが、
入院している患者が前記患者に割り当てられた第一の領域から逸脱してから所定時間が経過した場合、電子カルテシステムから、前記患者の治療に応じて設定されたスケジュールを示す情報を取得し、
前記スケジュールを示す情報に基づき予測される前記患者の居場所に関する第二の領域を特定し、
前記患者が、特定された前記第二の領域内に存在しないことを検出したとき、アラームの出力要求を所定の端末に送信する、管理方法。
（付記８）
入院している患者が前記患者に割り当てられた第一の領域から逸脱してから所定時間が経過した場合、電子カルテシステムから、前記患者の治療に応じて設定されたスケジュールを示す情報を取得する取得部と、
前記スケジュールを示す情報に基づき予測される前記患者の居場所に関する第二の領域を特定する特定部と、
前記患者が、特定された前記第二の領域内に存在しないことを検出したとき、アラームの出力要求を所定の端末に送信する出力部と、を有する管理装置。
【０１４８】
本発明は、具体的に開示された実施形態に限定されるものではなく、特許請求の範囲から逸脱することなく、種々の変形や変更が可能である。
【符号の説明】
【０１４９】
１００、１００Ａ  管理システム
２００、２００Ａ  管理装置
２１０  移動データベース
２２０  不在時間許容データベース
２３０  患者状態データベース
２４０、２４０Ａ  管理処理部
２４１  患者位置検出部
２４２  許容時間判定部
２４３  スケジュール判定部
２４４  移動判定部
２４５  受付状態判定部
２４６  状態格納部
２４７  アラーム出力部
２５０  患者予定データベース
２５１  音声認識部
２５２  画像認識部
２５３  予定判定部
２６０  現在位置データベース
２７０  音声データベース
２８０  顔認証データベース
３００  電子カルテシステム
３１０  患者スケジュールデータベース
３２０  受付状態データベース
３３０  日常行動データベース
４００  ナースコールシステム
【図１】
2019144819.tif 000003
【図２】
2019144819.tif 000004
【図３】
2019144819.tif 000005
【図４】
2019144819.tif 000006
【図５】
2019144819.tif 000007
【図６】
2019144819.tif 000008
【図７】
2019144819.tif 000009
【図８】
2019144819.tif 000010
【図９】
2019144819.tif 000011
【図１０】
2019144819.tif 000012
【図１１】
2019144819.tif 000013
【図１２】
2019144819.tif 000014
【図１３】
2019144819.tif 000015
【図１４】
2019144819.tif 000016
【図１５】
2019144819.tif 000017
【図１６】
2019144819.tif 000018
【図１７】
2019144819.tif 000019